(57)【要約】【課題】容易に綴じ具の取り付け、取り外しを行える技術を提供する。【解決手段】綴じ部材を備えた綴じ具の基板の固定面を表紙の被固定面に対向させて固定具により両者を固定する固定構造であって、基板は基板穴を有し、表紙は表紙穴を有し、固定具は、基板穴と表紙穴とを貫通する鉛直部と、鉛直部に連設されて、貫通した状態で表紙の被固定面の反対面に添接される添接部と、を有する第一固定具と、第一固定具に着脱自在であり、基板上で摺動可能な第二固定具と、を含み、第二固定具は、その固定位置側先端に、利用者が第二固定具を第一位置から第二位置に向けて押し込むための押圧スライド操作部を有する。【選択図】図３
2016210055.tif 000002
【特許請求の範囲】
【請求項１】
綴じ部材を備えた綴じ具の基板の固定面を表紙の被固定面に対向させて固定具により両者を固定する固定構造であって、
前記基板は基板穴を有し、前記表紙は表紙穴を有し、
前記固定具は、
前記基板穴と前記表紙穴とを貫通する鉛直部と、当該鉛直部に連設されて、当該貫通した状態で表紙の被固定面の反対面に添接される添接部と、を有する第一固定具と、
当該第一固定具に着脱自在であり、前記基板上で摺動可能な第二固定具と、を含み、
前記第二固定具は、その固定位置側先端に、利用者が当該第二固定具を第一位置から第二位置に向けて押し込むための押圧スライド操作部を有する、
綴じ具と表紙との固定構造。
【請求項２】
前記押圧スライド操作部は、前記第二固定具と前記基板とが接する面に対して、その接する面から解除位置に向けて傾斜して立設されている、
請求項１に記載の綴じ具と表紙との固定構造。
【請求項３】
前記第二固定具は、前記鉛直部と係合するためのクサビ部を有し、
前記押圧スライド操作部は、摺動方向に直交する方向における中央に位置し、その方向の両側に押圧スライド操作部を囲むようにクサビ部が配設されている、
請求項１または請求項２に記載の綴じ具と表紙との固定構造。
【請求項４】
前記押圧スライド操作部は、利用者の手指等との間の摩擦力を高めるための押圧補助面を有する、
請求項１から３のいずれか１項に記載の綴じ具と表紙との固定構造。
【請求項５】
綴じ部材を備えた綴じ具と、
前記綴じ具の基板が固定される表紙と、
前記綴じ具の基板の固定面を前記表紙の被固定面に対向させて両者を固定する固定具と、を備えるファイルであって、
前記基板は基板穴を有し、前記表紙は表紙穴を有し、
前記固定具は、
前記基板穴と前記表紙穴とを貫通する鉛直部と、当該鉛直部に連設されて、当該貫通した状態で表紙の被固定面の反対面に添接される添接部と、を有する第一固定具と、
当該第一固定具に着脱自在であり、前記基板上で摺動可能な第二固定具と、を含み、
前記第二固定具は、その固定位置側先端に、利用者が当該第二固定具を第一位置から第二位置に向けて押し込むための押圧スライド操作部を有する、
ファイル。
【発明の詳細な説明】
【技術分野】
【０００１】
本発明は、綴じ具と表紙との固定構造、及びファイルの技術に関する。
【背景技術】
【０００２】
書類を綴じる綴じ具、綴じ具を備えるファイルに関する技術がある。例えば、特許文献１には、紙綴器が開示されている。特許文献１に記載の紙綴器は、綴込帳の表紙に、紙綴柱、及び案内柱を開閉する取っ手が設けられた紙綴器の台が、鍔を有する取付金具と勾配栓とによって緊着されている。取付金具は、勾配栓が押し込まれるＵ字型の通路を有する帯状鉄板の両端に半円型の鍔がＵ字型の通路と直角に折り曲げられることで形成されている。このような取付金具を表紙に設けられた穴及び紙綴器の台に設けられた穴に貫入すると、鍔が表紙の下に止まり、勾配栓が押し込まれるＵ字型の通路のみが台状に突出する。勾配栓を細き先端より紙綴器の台上に突出したＵ字型の通路に押し込むと勾配栓の両端が一種の鍔となる。その結果、表紙と紙綴器とが緊着する。
【０００３】
また、例えば、特許文献２には、ベース及び当該ベースに設けられた綴じ部材を備えた綴じ具を、所定のベース固定具を介して被固定面に着脱自在に固定するベース固定構造が開示されている。このベース固定構造では、ベース固定具が、被固定面を貫通する貫通部材と、この貫通部材に係合して当該貫通部材の脱落を規制するとともに、上面が押圧スライド操作部又は操作板となるクサビ部材とを含み、クサビ部材が貫通部材の所定位置に係合したときにクサビ部材又は貫通部材と被固定面との間にベースが固定される。
【０００４】
また、例えば、特許文献３には、背表紙等の被固定面に固定されるベースと、このベース上に設けられた綴じ部材とを備えた綴じ具を、被固定面に着脱自在に固定するベース固定構造が開示されている。特許文献２のベース固定構造は、被固定面とベースとに穴をそれぞれ形成するとともに、これらの穴内に延びる部分を介して被固定面にベースを固定するベース固定具を設けている。また、ベース固定具は、穴内に位置する鉛直部と、この鉛直部に連設されて被固定面の外面側に位置可能な外側部とを含む第１の固定具と、この第１の固定具に着脱自在に設けられた第２の固定具とからなる。外側部を被固定面の外面に添設させた状態で第１の固定具に対して第２の固定具を相対変位させたときに、各固定具が相互に係合してベース及び被固定面を挟持する。
【先行技術文献】
【特許文献】
【０００５】
【特許文献１】実公昭０５−１５１３５号公報
【特許文献２】特許第３４２１９１３号公報
【特許文献３】特許第３２３０４９７号公報
【発明の概要】
【発明が解決しようとする課題】
【０００６】
特許文献１に記載の技術では、勾配栓６に特定の押圧スライド操作部が無いため、背表紙から綴じ具を取り外すには、臺１と勾配栓６とを相対移動させて係合を解除しなければならない。そのためには、勾配栓６の係合方向先端（低い方）を係合方向と逆の方向に押し込むか、係合方向末端（高い方）を係合方向と逆の方向に引っ張るか、利用者はいずれの方法を採用することが求められる。つまり、この作業のために利用者が触れた勾配栓６の位置が操作部となる。
【０００７】
特許文献２に記載の綴じ具では、貫通部材（７０）とクサビ部材（７１）とを係合させ
るための押圧スライド操作部がクサビ部材（７１）の上面に設けられている。そのため、両者の係合を解除する際にもその押圧スライド操作部にアプローチすることになると思われる。その場合、係合及びその解除の操作、すなわち両者の相対移動を利用者が行うのであれば、その利用者の手指クサビ部材（７１）の上面との間の摩擦力が小さいと利用者の手指が滑ってしまうことが懸念される。この事態を避けようとするなら、例えば、特許文献１に記載の技術と同様に、貫通部材（７０）とクサビ部材（７１）との係合を解除するには、この発明の押圧スライド操作部を用いずに、クサビ部材（７１）の係合方向先端側の側面を係合方向と逆の方向に押し込むことになる。
【０００８】
特許文献３に記載の技術では、第１の固定具（フック部材４３）と第２の固定具（回転部材４４）とを連結した状態に組み立て、利用者が第２の固定具を回転させて水平状態にすることで、背表紙と綴じ具を挟み込んで固定する必要がある（例えば、特許文献３の段落００２４）。上記のように、特許文献２に記載の技術は、綴じ具を背表紙に取り付けて固定するためには、例えば、第１の固定具と第２の固定具とを組み立てる必要もあり、綴じ具を背表紙に取り付ける作業が煩雑であった。
【０００９】
本発明はこのような点に鑑みてなされたものであり、従来よりも容易に綴じ具の取り付け、取り外しを行える技術を提供することを課題とする。
【課題を解決するための手段】
【００１０】
本発明は、前記課題を解決するために、以下の手段を採用した。具体的には、本発明は、綴じ部材を備えた綴じ具の基板の固定面を表紙の被固定面に対向させて固定具により両者を固定する固定構造であって、前記基板は基板穴を有し、前記表紙は表紙穴を有し、前記固定具は、前記基板穴と前記表紙穴とを貫通する鉛直部と、当該鉛直部に連設されて、当該貫通した状態で表紙の被固定面の反対面に添接される添接部と、を有する第一固定具と、当該第一固定具に着脱自在であり、前記基板上で摺動可能な第二固定具と、を含み、前記第二固定具は、その固定位置側先端に、利用者が当該第二固定具を第一位置から第二位置に向けて押し込むための押圧スライド操作部を有する。
【００１１】
本発明によれば、鉛直部が基板穴と表紙穴とを貫通した状態で、第二固定具を基板上で摺動させて、第一固定具に対して第二固定具を相対変位することで、各固定具が相互に係合して基板及び表紙を挟持する。つまり、第二固定具を基板上で摺動させるといった単純な動作により、綴じ具を表紙に取り付けたり、綴じ具を表紙から取り外したりすることができる。また、第二固定具が固定位置側先端に押圧スライド操作部を有することで、第二固定具を容易に摺動させることができる。その結果、更に容易に、綴じ具の取り付けや取り外しを行うことが可能となる。更に、綴じ具は、表紙から取り外すことができるため、表紙を重ねて収容できる。その結果、綴じ具が固定された表紙を収容する場合と比較して、表紙を収容する段ボールのサイズを小さくすることができる。そのため、運搬コストや保管コストを低減できる。
【００１２】
また、前記押圧スライド操作部は、前記第二固定具と前記基板とが接する面に対して、その接する面から解除位置に向けて傾斜して立設されていてもよい。傾斜することで、利用者の手指等を斜めにあてることができ、平面や垂直面の場合と比較して、操作性が向上する。
【００１３】
また、前記第二固定具は、前記鉛直部と係合するためのクサビ部を有し、前記押圧スライド操作部は、摺動方向に直交する方向における中央に位置し、その方向の両側に押圧スライド操作部を囲むようにクサビ部が配設されていてもよい。第二固定具は、クサビ部に沿って摺動することができる。そして、押圧スライド操作部を幅方向の両側を囲むようにクサビ部が設けられているため、利用者が押圧スライド操作部を押し込む際に、摺動する
方向（軌道）が安定する。その結果、更に容易に、綴じ具の取り付けや取り外しを行うことが可能となる。
【００１４】
前記押圧スライド操作部は、利用者の手指等との間の摩擦力を高めるための押圧補助面を有するようにしてもよい。これにより、滑り難くなり、操作性が向上する。また、綴じ具を表紙から取り外す際は、綴じ具に接続された第二固定具の押圧スライド操作部を押し込んで第二固定具を第二位置に移動させ、そのまま第二固定具の押圧スライド操作部を把持して持ち上げた方が効率がよい。押圧補助面により滑りにくくなるため、第二固定具に接続された綴じ具を持ち上げやすくなる。
【００１５】
また、前記第二固定具は、前記基板上に立設された摺動案内壁によって前記基板上の第一位置と第二位置との間を摺動可能に規制され、前記第一位置にあるとき、前記基板穴と前記表紙穴とを貫通した前記鉛直部に係合し、前記第二位置にあるとき、前記第二固定具の前記基板に接する面に設けられた係合突部と、前記基板における所定の位置に設けられた係合穴と、が係合して第二固定具と基板とが固定されるようにしてもよい。
【００１６】
第二固定具が基板上に立設された摺動案内壁によって摺動可能に規制されているため、摺動案内壁に沿って容易に第二固定具を摺動させることができる。また、摺動範囲が規制されており、脱落することがないので、第二固定具を紛失することがない。また、第二固定具を第一位置と第二位置との間で摺動させるだけで、綴じ具を表紙に取り付けたり、綴じ具を表紙から取り外したりすることができる。また、第一位置は、綴じ具を表紙に固定する位置として機能することができる。第一位置では、第二固定具は、基板穴と表紙穴とを貫通する鉛直部と係合するため、綴じ具を表紙に強固に固定することができる。また、第二位置は、綴じ具を表紙から取り外す位置として機能することができる。第二位置では、第二固定具と基板とが固定され、綴じ具を表紙から取り外す状態が維持される。そのため、綴じ具を表紙から容易に取り外すことができる。
【００１７】
また、前記係合突部は、前記第二固定具に連設されて延出する可撓性を有する可撓板片の先端側に突設されていてもよい。係合突部が可撓板片に突設されることで、係合突部は可撓板片の撓みが許容される範囲内で移動することが可能となる。また、基端側よりも先端側の方が、係合突部の移動範囲を多くすることができる。その結果、係合突部と係合穴との係合状態では、係合突部が係合穴に確実に入り込むため、係合状態を維持することができる。また、係合突部が係合穴に入り込んだ状態でも、第二固定具に力を加えた場合に可撓板片が撓むため、これとともに係合突部が係合穴から容易に離脱することができる。つまり、容易に係合を解除することができる。
【００１８】
ここで、本発明は、綴じ具と表紙との固定構造を含む、ファイルとして特定してもよい。具体的には、本発明は、綴じ部材を備えた綴じ具と、前記綴じ具の基板が固定される表紙と、前記綴じ具の基板の固定面を前記表紙の被固定面に対向させて両者を固定する固定具と、を備えるファイルであって、前記基板は基板穴を有し、前記表紙は表紙穴を有し、前記固定具は、前記基板穴と前記表紙穴とを貫通する鉛直部と、当該鉛直部に連設されて、当該貫通した状態で表紙の被固定面の反対面に添接される添接部と、を有する第一固定具と、当該第一固定具に着脱自在であり、前記基板上で摺動可能な第二固定具と、を含み、前記第二固定具は、その固定位置側先端に、利用者が当該第二固定具を第一位置から第二位置に向けて押し込むための押圧スライド操作部を有する。
【発明の効果】
【００１９】
本発明によれば、従来よりも容易に綴じ具の取り付け、取り外しを行える技術を提供することができる。
【図面の簡単な説明】
【００２０】
【図１】図１は、実施形態に係るファイルにおいて、第二固定具が第一位置にある、綴じ具の平面図を示す。
【図２】図２は、実施形態に係るファイルにおいて、第二固定具が第二位置にある、綴じ具の平面図を示す。
【図３】図３は、実施形態に係るファイルにおいて、綴じ具と表紙本体との固定構造を説明する内側から見た分解斜視図を示す。
【図４】図４は、実施形態に係るファイルにおいて、綴じ具のベース部材の平面図を示す。
【図５】図５は、実施形態に係るファイルにおいて、第一固定具の斜視図を示す。
【図６】図６は、実施形態に係るファイルにおいて、第二固定具を表側から見た斜視図を示す。
【図７】図７は、実施形態に係るファイルにおいて、第二固定具を裏側から見た斜視図を示す。
【図８】図８は、実施形態に係るファイルにおいて、綴じ具と表紙本体との固定構造を説明する断面図を示す（第一位置）。
【図９】図９は、実施形態に係るファイルにおいて、綴じ具と表紙本体との固定構造を説明する断面図を示す（第二位置）。
【発明を実施するための形態】
【００２１】
次に、本発明に係る綴じ具と表紙との固定構造（以下、単に固定構造ともいう。）の実施形態について、図面に基づいて説明する。実施形態に係る固定構造は、書類等を綴じるための綴じ具を備えるファイルに適用されるものであり、本発明が有する技術的思想が同一の範囲である限り、特定の綴じ具や特定のファイルに限定適用されるものではない。なお、以下の説明では、ファイルを開いた状態で机上等に載置した場合において、利用者側に面する側を内側、その反対を裏側とし、利用者側から遠い側を上側、利用者側を下側とする。
【００２２】
＜実施形態＞
＜＜ファイル本体＞＞
図１から図３に示すように、ファイル本体１は、背表紙１１、表表紙１２、裏表紙１３を備える。背表紙１１は、上下方向に細長い長方形であり、内側に綴じ具２が固定される。表表紙１２及び裏表紙１３は、綴じ込まれる書類よりも一回り大きい面積を有する長方形であり、背表紙１１の左右方向の両端部に開閉自在に夫々連なっている。背表紙１１には、後述する第二固定具の鉛直部６１が貫通する表紙穴１４が形成されている。表紙穴１４は、鉛直部６１の外形に合わせて四角形に形成されており、鉛直部６１の位置に合わせて４つ形成されている。
【００２３】
＜＜綴じ具＞＞
図１から図３に加えて、図４も参照しながら、綴じ具２について説明する。綴じ具２は、背表紙１１に固定されるベース部材３、ベース部材の側壁部３１，３１に対して着脱自在な第一綴じ部材４１、第二綴じ部材４２を備える。第一綴じ部材４１と第二綴じ部材４２が組み合わされた状態でベース部材３に取り付けられることで、書類等の綴じ込みが行われる。なお、綴じ具２の書類等を綴じる機能は、従来の綴じ具と本質的に同質である。そこで、書類等を綴じる機能に関する説明は簡単にし、固定する機能に関する構成の説明を詳しく行うものとする。
【００２４】
ベース部材３は、背表紙１１に固定される基板３３、基板３３の左右方向の両縁に回動自在に連なるベース部材の側壁部３１，３１、ベース部材の側壁部３１，３１のそれぞれに設けられた綴込爪部３２を備える。また、第一綴じ部材４１は、第一綴じ部材の側壁部
４１１、第一綴じ部材の側壁部４１１の中央部分に設けられた第一綴じ部材の窪み部４１２、第一綴じ部材の側壁部４１１から延出する２本のパイプ管４１３を有する。第二綴じ部材４２は、第二綴じ部材の側壁部４２１、第二綴じ部材の側壁部４２１の中央部分に設けられた第二綴じ部材の窪み部４２２と、第二綴じ部材の側壁部４２１から延出する足管４２３を有する。足管４２３がパイプ管４１３に挿入されることで、第一綴じ部材４１と第二綴じ部材４２が組み合わされ、そしてその組み合わされた状態で、ベース部材３のそれぞれのベース部材の側壁部３１，３１に第一綴じ部材の側壁部４１１と第二綴じ部材の側壁部４２１が接続される。具体的には、ベース部材の側壁部３１，３１のそれぞれに設けられた綴込爪部３２，３２が、第一綴じ部材の窪み部４１２と第二綴じ部材の窪み部４２２に引っ掛かり、書類等を綴じ込む状態となる（図３参照）。なお、上記綴じ具２の構成は、一例であり、綴じ具２に代えて、他の様々な綴じ具を採用することができる。
【００２５】
ベース部材３の基板３３には、複数種類の穴部等が形成されている。左右方向の両側には、摺動案内壁３３４が対向して形成されている。摺動案内壁３３４は、上下方向に延びており、基板３３から内側に立ち上げられ、先端が折り曲げられている。摺動案内壁３３４は、第二固定具７の左右方向の両側縁を支持して、第二固定具７を第一位置と第二位置との間で摺動させる。第一位置は、綴じ具２を背表紙１１に固定する位置であり、第二位置は、綴じ具２を背表紙１１から取り外す位置である。
【００２６】
また、摺動案内壁３３４の上側と下側には、綴じ具２を背表紙１１に固定する第一位置において、第一固定具６の鉛直部６１が貫通する四角形の基板穴３３８が合計４つ形成されている。
【００２７】
また、基板３３の上下方向の両側縁の近傍には、両側縁に沿って、内側に膨らむ直線状の規制部３３７が形成されている。規制部３３７は、第二固定具７の移動を規制する。より詳細には、規制部３３７は、第二固定具７が、第一位置よりも更に基板３３の上下方向の両側縁側に移動しないよう第二固定具７の移動を規制する。
【００２８】
また、摺動案内壁３３４の間には、綴じ具２を背表紙１１から取り外す第二位位置において、後述する第二固定具７の係合突部７３と係合する円形の係合穴３３５が形成されている。係合穴３３５は、基板３３の上下方向（長手方向）に延び、左右方向の中心を通る仮想軸（図４において点線で示す）に形成されている。
【００２９】
また、基板穴３３８の間に、かつ、上記仮想軸と同一軸状には、綴じ具２を背表紙１１に固定する第一位置において、第一固定具６の係合突部７３が収容される円形の収容穴３３６が形成されている。
【００３０】
＜＜第一固定具＞＞
次に図１から図３に加えて、図５も参照しながら、第一固定具６について説明する。第一固定具６は、後述する第二固定具７と係合して、綴じ具２をファイル本体１の背表紙１１に固定する。第一固定具６は、添接部６２、鉛直部６１を備える。添接部６２は、平面視において左右方向に長い長方形のプレートからなり、ファイル本体１の背表紙１１の裏側に添接される。鉛直部６１は、長手方向に２つ形成され、添接部６２から立設しており、背表紙１１に形成された表紙穴１４とベース部材３の基板３３に形成された基板穴３３８を貫通する。鉛直部６１は、綴じ具２を背表紙１１に固定する第一位置において、第二固定具７と係合する。
【００３１】
鉛直部６１は、軸部６１１と、軸部６１１の頂部に添接部６２と略平行に連なる係止板６１２と、この係止板６１２の左右方向の両端部に設けられ、添接部６２側へ突出したガイド部６１３と、軸部６１１の左右方向の両側に添接部６２から立設する起立片６１４，
６１４と、を備える。係止板６１２は、第一位置において、第二固定具７の内側方向への動きを規制するとともに、第二固定具７の上下方向への動きを規制する。ガイド部６１３は、第一固定位置において、第二固定具７のガイド溝７２２に収容される。軸部６１１は、添接部６２と係止板６１２とを接続する。起立片６１４，６１４は、軸部６１１を保護する。例えば、起立片６１４，６１４設けない場合、軸部６１１の側面が背表紙１１に形成された表紙穴１４の左右方向の縁と直接接触する。この場合、軸部６１１に過度の負荷がかかる虞がある。第一実施形態に係る第一固定具６は、起立片６１４，６１４を備えることで、軸部６１１への負荷を抑制することができる。
【００３２】
＜＜第二固定具＞＞
次に、図１から図３に加えて、図６、図７も参照しながら、第二固定具７について説明する。第二固定具７は、第一固定具６と係合して、綴じ具２をファイル本体１の背表紙１１に固定する。第二固定具７は、摺動案内壁との接触部７１、クサビ部７２、係合突部７３、押圧スライド操作部７６、を備える。
【００３３】
第二固定具７は、全体として四角形のプレート状であり、第二固定具７の左右方向の直線状の両端部が、摺動案内壁との接触部７１として機能する。摺動案内壁との接触部７１は、摺動案内壁３３４内に収容される。摺動案内壁との接触部７１の左右方向内側には、第一位置において、鉛直部６１と係合するクサビ部７２が形成されている。換言すると、クサビ部７２は、左右方向の中央に形成された押圧スライド操作部７６を囲むように、押圧スライド操作部７６の左右方向の両側に形成されている。クサビ部７２は、鉛直部６１の軸部６１１が貫通する、上下方向に延びる直線状の開口部７２１と、開口部７２１の左右方向の両側に形成され、鉛直部６１のガイド部６１３を収容する、上下方向に延びる直線状のガイド溝７２２を含む。ガイド溝７２２は、ガイド部６１３の断面形状に対応して設計されている。第一位置では、ガイド溝７２２へガイド部６１３が収容され、第一固定具６の鉛直部６１を構成する係止板６１２がガイド溝７２２を覆う。そのため、第二固定具７の内側方向への移動が第一固定具６によって規制されることになる。
【００３４】
押圧スライド操作部７６は、利用者が、第二固定具７を第一位置から第二位置に向けて押し込むためのもので、左右方向の中央、かつ、上下方向の端部に形成されている。実施形態では、押圧スライド操作部７６は、手指等で押し込む際に、手指等が第一綴じ部材の側壁部４１１から延出する２本のパイプ管４１３と接触し難いように、第二固定具７の端部よりも更に突出している。より詳細には、第二位置においても、平面視において押圧スライド操作部７６がパイプ管４１３よりも上下方向の端部側に位置するように、押圧スライド操作部７６が第二固定具７の端部よりも更に突出している。
【００３５】
また、押圧スライド操作部７６は、傾斜面によって構成されている。傾斜面は、上下方向において端部側から中央に向けて徐々に高くなるように、換言すると第一位置から第二位置に向けて第二位置側が高くなるように傾斜している。更に、傾斜面には、利用者の手指等との間で摩擦力を高めるための押圧補助面７６１が形成されている。第１実施形態の押圧補助面７６１は、左右方向に延びる複数の凹凸によって構成されている。
【００３６】
押圧スライド操作部７６の基端側、換言すると、クサビ部７２の間の領域には、切り欠き７７が形成されている。この切り欠き７７には、可撓性を有する可撓板片７８が形成されている。可撓板片７８は、基端が切り欠き７７の縁のうち、押圧スライド操作部７６の先端とは反対側に位置する縁に連なっている。先端は、自由端となっている。そして、自由端である先端側には、裏側に向けて突出する係合突部７３が形成されている。係合突部７３は、第一位置では、ベース部材３の基板３３に形成された収容穴３３６に収容される。また、係合突部７３は、第二位置では、ベース部材３の基板３３に形成された係合穴３３５に係合される。
【００３７】
＜＜綴じ具の脱着方法＞＞
次に、綴じ具の取り外し、及び固定方法について、第一固定具６や第二固定具７の動作も交えて説明する。図１、図２、図８、図９に示すように、第一位置では、第一固定具６と第二固定具７が係合し、綴じ具２がファイル本体１の背表紙１１に固定されている。なお、下側の第二固定具７と上側の第二固定具７は、動作の向きが逆向きである以外は、基本的には同様の動作をする。そこで、以下の説明では、下側の第二固定具７を例に説明する。
【００３８】
下側の第二固定具７は、摺動案内壁との接触部７１が、摺動案内壁３３４に収容される。そのため、下側の第二固定具７は、摺動案内壁３３４により、左右方向への移動が規制されている。また、第二固定具７のクサビ部７２は、第一固定具６の鉛直部６１と係合している。より詳細には、第一固定具６は、鉛直部６１が背表紙１１に形成された表紙穴１４とベース部材３の基板３３に形成された基板穴３３８を貫通している。また、鉛直部６１を構成するガイド部６１３は、第二固定具７のガイド溝７２２に収容されている。また、係止板６１２は、第一位置において、裏側がガイド溝７２２の縁と接し、上下方向の中央よりの端部がカバー部７５の端部と接している。そのため、係止板６１２は、第一位置において、第二固定具７の内側方向への動きを規制するとともに、第二固定具７の上下方向への動きを規制している。その結果、下側の第二固定具７は、第一固定具６と係合することで、左右方向、内側、下側への移動が規制される。換言すると、第一位置では、下側の第一固定具６は、上側への移動のみが許容されている。なお、係合突部７３は、第一位置では、ベース部材３の基板３３に形成された収容穴３３６に収容されている。
【００３９】
第二固定具７を第一位置から第二位置へ移動する場合、手指等で押圧スライド操作部７６を押し込む。下側の第二固定具７については、押圧スライド操作部７６の傾斜面に手指等を当て、上側に押し込む。例えば、下側の第二固定具７の押圧スライド操作部７６に親指を当て、上側の第二固定具７の押圧スライド操作部７６に人差し指を当て、親指と人差し指と引き合わせるように夫々の第二固定具７を押し込むとよい。
【００４０】
押圧スライド操作部７６を押し込むと、第二固定具７は、第一位置から第二位置へ向けて移動を開始する。第一位置から第二位置へ移動する際も、下側の第二固定具７は、左右方向、内側、下側への移動が規制されている。第二位置への移動が開始されると、収容穴３３６に収容された、可撓板片７８に形成された係合突部７３が、収容穴３３６の上側縁に接する。更に、押圧スライド操作部７６を押し込むと、可撓板片７８が内側に撓み、これにともない可撓板片７８に形成された係合突部７３も内側に移動する。そして、係合突部７３は、収容穴３３６の上側の縁を乗り越える。更に、押圧スライド操作部７６を押し込むと、可撓板片７８に形成された係合突部７３は、収容穴３３６と同一軸線上にある係合穴３３５と係合する。係合突部７３が係合穴３３５と係合する位置が、第二位置である。
【００４１】
第二位置では、第二固定具７のクサビ部７２と第一固定具６の鉛直部６１との係合が解除される。また、係合突部７３が係合穴３３５と係合しているため、第二位置が維持される。ガイド部６１３は、ガイド溝７２２から脱し、係止板６１２も裏側がガイド溝７２２の縁と離れ、係止板６１２の上側の端部もカバー部７５の端部と離れる。特に、係止板６１２は、第一位置において、第二固定具７の内側方向への動きを規制していたが、この規制が解除される。その結果、第二固定具７が接続されている綴じ具２を内側に移動させることが可能となる。つまり、綴じ具２をファイル本体１の背表紙１１から取り外すことが可能となる。
【００４２】
綴じ具２をファイル本体１の背表紙１１に取り付ける場合には、基本的には上記と逆の
動作になる。まず、第一固定具６の鉛直部６１が、背表紙１１に形成された表紙穴１４とベース部材３の基板３３に形成された基板穴３３８とに貫通される。次に、第二固定具７同士が離れるように力が加えられる。その結果、係合突部７３が、係合穴３３５の縁を乗り越え、係合穴３３５から脱する。そして、下側の第二固定具７は、下側に移動し、第一位置へ至る。すなわち、係合突部７３は、収容穴３３６に収容される。その結果、綴じ具２がファイル本体１の背表紙１１に固定される。なお、第二固定具７を第二位置から第一位置へ移動させやすくするため、押圧スライド操作部７６を第二固定具７の反対側の端部にも設けるようにしてもよい。
【００４３】
＜＜効果＞＞
実施形態に係るファイル１０によれば、第一固定具６の鉛直部６１が基板穴３３８と表紙穴１４とを貫通した状態で、第二固定具７を基板３３上で摺動させ、第一固定具６に対して第二固定具７を相対変位することで、第一固定具６及び第二固定具７が相互に係合して綴じ具２の基板３３及びファイル本体１の背表紙１１を挟持する。つまり、第二固定具７を基板３３上で摺動させるといった単純な動作により、綴じ具２をファイル本体１の背表紙１１に取り付け、又は取り外すことができる。
【００４４】
また、綴じ具２は、ファイル本体１から取り外すことができるため、ファイル本体１を重ねて収容できる。その結果、綴じ具２が固定されたファイル本体１を収容する場合と比較して、ファイル本体１を収容する段ボールのサイズを小さくすることができる。そのため、運搬コストや保管コストを低減できる。また、第二固定具７が綴じ具２の基板３３に接続されているため、第二固定具７を紛失することがない。
【００４５】
また、第二固定具７が固定位置側先端に押圧スライド操作部７６を有することで、第二固定具７を容易に摺動させることができる。その結果、容易に綴じ具２の取り付けや取り外しを行うことが可能となる。また、押圧スライド操作部７６は、傾斜していることから、利用者の手指等を斜めにあてることができ、平面や垂直面の場合と比較して、操作性が向上する。
【００４６】
また、第二固定具７は、クサビ部７２に沿って摺動することができる。そして、押圧スライド操作部７６を幅方向の両側を囲むようにクサビ部７２が設けられているため、利用者が押圧スライド操作部７６を押し込む際に、摺動する方向（軌道）が安定する。その結果、更に容易に、綴じ具２の取り付けや取り外しを行うことが可能となる。
【００４７】
また、押圧スライド操作部７６は、利用者の手指等との間の摩擦力を高めるための押圧補助面７６１を有している。そのため、滑り難くなり、操作性が向上する。また、綴じ具２を背表紙１１から取り外す際は、綴じ具２に接続された第二固定具７の押圧スライド操作部７６を押し込んで第二固定具７を第二位置に移動させ、そのまま第二固定具７の押圧スライド操作部７６を把持して持ち上げた方が効率がよい。押圧補助面７６１により滑りにくくなるため、第二固定具７に接続された綴じ具２を持ち上げやすくなる。
【００４８】
なお、第一固定具６は、２つの鉛直部６１を備えるが、夫々個別の添接部６２とし、別パーツとしてもよい。
【００４９】
以上、本発明の好適な実施形態を説明したが、本発明に係る綴じ具と表紙との固定構造、及びファイルは、種々の変更、改良、組み合わせ等が可能なことは当業者にとって自明である。
【符号の説明】
【００５０】
１・・・ファイル本体
２・・・綴じ具
３・・・ベース部材
３３・・・基板
３３１・・・位置決め突片
３３４・・・摺動案内壁
５・・・固定具
６・・・第一固定具
６１・・・鉛直部
６２・・・添接部
７・・・第二固定具
７２・・・クサビ部
７３・・・係合突部
７６・・・押圧スライド操作部
１０・・・ファイル
１１・・・背表紙
１２・・・表表紙
１３・・・裏表紙
１４・・・表紙穴
１５・・・第一位置決め穴部
１６・・・第二位置決め穴部
【図１】
2016210055.tif 000003
【図２】
2016210055.tif 000004
【図３】
2016210055.tif 000005
【図４】
2016210055.tif 000006
【図５】
2016210055.tif 000007
【図６】
2016210055.tif 000008
【図７】
2016210055.tif 000009
【図８】
2016210055.tif 000010
【図９】
2016210055.tif 000011